(57)【特許請求の範囲】
【請求項１】
（Ａ）複数の所定の箇所に接合作業用切欠き、および該接合作業用切欠きと接合端面との間を軸方向に連通するボルト挿通孔が設けられている単位ボックスカルバートであり、（Ｂ）一方の単位ボックスカルバートには周方向に沿って四周面にカラー取付け用の埋設ナットまたは凹溝が設けられている二個の単位ボックスカルバートを使用し、（Ｃ）両単位ボックスカルバートの接合端部に止水弾性体をセットした後、一方の単位ボックスカルバートの四周面のカラー取付け用埋設ナットまたは凹溝にカラーの側縁を固定して接合端部の四周面にカラーを取付け、次いで、両単位ボックスカルバートの接合作業用切欠き間にボルトを挿通し、その両端を弾性ワッシャーを介在させて各接合作業用切欠きに固定することによって、二個の単位ボックスカルバートを可撓接合してなることを特徴とする可撓ボックスカルバート。
【請求項２】
カラー上を軸方向に横断して両単位ボックスカルバートの外周面に鋼材を架け渡して固定してなる請求項１記載の可撓ボックスカルバート。
【発明の詳細な説明】
【０００１】
【発明の属する技術分野】
本発明は軸方向に互いに連結して水路、地下道あるいは共同溝などとして地中に敷設されるボックスカルバートの中間に設置して各ボックスカルバートの相対変位を吸収するための可撓ボックスカルバートに関するものである。
【０００２】
【従来の技術】
本出願人は２個の単位ボックスカルバートを、伸縮可能で、可撓性のある止水部材で接続し、その接続部の外周面に帯板（カラー）を周回させて１個のボックスカルバートとした構造の可撓ボックスカルバートを特開昭６３−１１０３２７号、特開平２−１６４９４９号その他で提案している。
【０００３】
【発明が解決しようとする課題】
本出願人が先に提案した可撓ボックスカルバートでは、止水部材の両側縁をそれぞれの単位ボックスカルバートに埋設し、カラーの側縁を一方の単位ボックスカルバートに埋設しておく必要がある。
【０００４】
このため、製造型枠内は、これらの埋設体の他、鉄筋やその他の埋設体で輻輳することとなり、設計通りの鉄筋コンクリート製の可撓ボックスカルバートを製造することは容易ではない。
【０００５】
また、従来の可撓ボックスカルバートでは、隣接するボックスカルバート間の相対変位が余り大きくなく、止水部材の変形によりボックスカルバート間の相対変位を吸収することができる間は非常に有効である。
【０００６】
しかし、敷設されたボックスカルバートには短時間ではあるが衝撃的な強大な力が加わり、設計値以上の大きな相対変位を生ずることが予想される。かかる相対変位が生ずると、従来の可撓ボックスカルバートでは、相対変位を吸収すべき止水部材が相対変位を吸収することができなくなって破損し、ボックスカルバートとしての機能が損なわれることになる。
【０００７】
本発明はこの点に着目してなされたもので、別の接合方式の採用により、ボックスカルバート間の相対変位の大小に関わらず、相対変位に柔軟に対応する可撓ボックスカルバートを提案するものである。
【０００８】
【課題を解決するための手段】
本発明は、（Ａ）複数の所定の箇所に接合作業用切欠き、および該接合作業用切欠きと接合端面との間を軸方向に連通するボルト挿通孔が設けられている単位ボックスカルバートであり、（Ｂ）一方の単位ボックスカルバートには周方向に沿って四周面にカラー取付け用の埋設ナットまたは凹溝が設けられている二個の単位ボックスカルバートを使用し、（Ｃ）両単位ボックスカルバートの接合端部に止水弾性体をセットした後、一方の単位ボックスカルバートの四周面のカラー取付け用埋設ナットまたは凹溝にカラーの側縁を固定して接合端部の四周面にカラーをを取付け、次いで、両単位ボックスカルバートの接合作業用切欠き間にボルトを挿通し、その両端を弾性ワッシャーを介在させて各接合作業用切欠きに固定することによって、二個の単位ボックスカルバートを可撓接合してなることを特徴とする可撓ボックスカルバートである。
【０００９】
本発明の可撓ボックスカルバートでは、止水弾性体およびカラーを予め埋設して鉄筋コンクリート製可撓ボックスカルバートを製造するのではなく、製造された２個の単位ボックスカルバートに後から止水弾性体およびカラーを取付けて可撓接合して１個の可撓ボックスカルバートとするものである。
【００１０】
本発明の第１の要点は、一方の単位ボックスカルバートに周方向に沿って四周面にカラー取付け用の埋設ナットまたは凹溝を設けておき、これを利用してカラーを取付ける点であり、第２の要点は、単位ボックスカルバート複数の所定の箇所に軸方向に沿ってボルト挿通孔およびそれに対応する接合作業用切欠きを設けておき、ボルトを挿通してナット締めしてボルトを接合作業用切欠きに弾性ワッシャーを介在させて両単位ボックスカルバートを弾性的に連結する点である。
【００１１】
本発明の可撓ボックスカルバートにおいては、カラーによって剪断方向のボックスカルバートの相対変位を小さく抑え、単位ボックスカルバートの接合端部にセットされた止水弾性体の伸縮および連結ボルトに介在された弾性ワッシャーの伸縮により軸方向および剪断方向のボックスカルバートの相対変位を吸収することによって、可撓接合としての機能を保持している。
【００１２】
なお、上記の単位ボックスカルバート相互の接合端部の単位ボックスカルバートの構造は２個の単位ボックスカルバートを可撓接合して１個の可撓ボックスカルバートとするための構造であり、可撓ボックスカルバートと一般ボックスカルバートとの接合端部は一般的な凹凸継手や鋼棒のボルト緊結による継手などのそれぞれの接合方式に応じた形状・構造とされる。
【００１３】
本発明の可撓ボックスカルバートは一般ボックスカルバートとともにボックスカルバート群として地中に敷設され水路、下水道、地下道などの他、共同溝などの一般的な地下構造物として利用される。
【００１４】
【発明の実施の形態】
以下、図面を参照しながら、本発明の実施の形態について説明する。
【００１５】
図１は、本発明の可撓ボックスカルバートの１例を示し（ａ）は立面図、（ｂ）は側面図、（ｃ）は平面図である。
【００１６】
図２は単位ボックスカルバートの接合端部の例を示す軸方向断面図である。
【００１７】
図３は単位ボックスカルバートのボルト連結の例を示す軸方向断面図である。
【００１８】
本発明の可撓ボックスカルバート１の製作順序を説明しながら可撓ボックスカルバート１の構成を説明する。
【００１９】
（１）単位ボックスカルバート２ａおよび２ｂには所定の位置（図１の例では軸方向略中間の四隅部）の内周面に接合作業用切欠き５が設けられ、この接合作業用切欠き５と接合端面との間に軸方向にボルト挿通孔１１が連通している。（図１および図３参照）。
【００２０】
一方の単位ボックスカルバート２ｂの四周面には接合端面から所定の距離をおいた箇所に四周面を周回して複数の埋設ナット８が埋設されている。（図１（ｂ），（ｃ）および図２（ａ），（ｃ）参照）。
【００２１】
複数の埋設ナット８の埋設に代えて、四周面を周回して凹溝１０を設けておいてもよい。（図２（ｂ）参照）。
【００２２】
この単位ボックスカルバート２ａおよび２ｂをその接合端面を対面させ所定の間隔離して静置する。
【００２３】
（２）単位ボックスカルバート２ａおよび２ｂの接合端面およびその周面に断面Ｔ形（図２（ａ）参照）や断面Ｌ形（図２（ｃ）参照）の止水弾性体９（ゴムシート、ゴムアスファルトシートなど）を貼着する。
【００２４】
（３）ボルト７を埋設ナット８に螺合してカラー３の側縁を単位ボックスカルバート２ｂの四周面に固定する。（図２（ａ），（ｃ）参照）。
【００２５】
埋設ナット８の埋設に代えて、凹溝１０が設けられている場合にはカラー３の側縁を折り曲げ、その折り曲げ部を凹溝１０に嵌合して固定する。（図２（ｂ）参照）。
【００２６】
このカラー３の単位ボックスカルバート２ｂへの固定は、カラー３を上下に２分割しておき、半分づつ固定した後、側板部で上下を連結する方法によると、操作が容易になる。（図１（ｂ）参照）。
【００２７】
カラー３は単位ボックスカルバート２ａおよび２ｂの接合部の周面を覆い、止水弾性体９を内側に押しつけている。
【００２８】
カラー３としては鋼板の他、プレキャストコンクリート板なども有効に使用される。
【００２９】
（４）単位ボックスカルバート２ａ，２ｂの何れか一方の接合作業用切欠き５から他方の接合作業用切欠き５にボルト挿通孔１１を通して連結ボルト４を挿通する。両単位ボックスカルバートの接合作業用切欠き５，５内で連結ボルト４の両端に定着板、弾性ワッシャー１２をはめナット１３で締付けて連結ボルト４の両端をそれぞれの接合作業用切欠き５に固定する（図３参照）。作業後、接合作業用切欠き５にはカバー（図示せず）をして封鎖する。
【００３０】
単位ボックスカルバート２ａ，２ｂの接合端面間の間隙、接合部周面とカラー３との間隙は止水弾性体９により封鎖され、しかも、単位ボックスカルバート２ａと２ｂとはボルト連結部の弾性ワッシャー１２の働きにより弾性的に連結されることとなる。
【００３１】
（５）カラー３上を軸方向に横断して単位ボックスカルバートの２ａ，２ｂの両側板に鋼材６を架け渡し、鋼材６の両端のボルト孔に通したボルトを単位ボックスカルバートの２ａ，２ｂの両側板に埋設された埋設ナットに螺合して単位ボックスカルバート２ａと２ｂとを固定する。（図１（ａ），（ｂ）参照）。
【００３２】
図１ではこの固定用鋼材６を両側板にそれぞれ２本取付けた例を示したが、側板の他、天板に取付けてもよいし、取付け本数を増減してもよい。この鋼材６としては溝形鋼や山形鋼などの形鋼の他、鋼板も使用される。
【００３３】
また、可撓ボックスカルバートの大きさ、保管場所、保管時間、輸送距離などの状況で、単位ボックスカルバートの２ａと２ｂとの外周面での固定が必要ないと判断される場合には、固定用鋼材６の取付けを省略してもよい。
【００３４】
以上により可撓ボックスカルバート１の製作が完了する。
【００３５】
単位ボックスカルバートの２ａと２ｂとの相対位置の固定のために外周面に固定用鋼材６を取付けてある場合には可撓ボックスカルバート１を現場に設置した後、固定用鋼材６は取り外される。
【００３６】
【発明の効果】
本発明の可撓ボックスカルバートでは、止水弾性体およびカラーを予め埋設して鉄筋コンクリート製可撓ボックスカルバートを製造するのではなく、製造された２個の単位ボックスカルバートに後から止水弾性体およびカラーを取付けて可撓接合して製作するため、従来のものに比して製作が容易になる。
【００３７】
また、本発明の可撓ボックスカルバートにおいては、カラーによって剪断方向のボックスカルバートの相対変位を小さく抑え、単位ボックスカルバートの接合端部にセットされた止水弾性体の伸縮および連結ボルトに介在された弾性ワッシャーの伸縮により軸方向および剪断方向のボックスカルバートの相対変位を吸収するので、小さな相対変位は勿論、衝撃的な大きな相対変位にも対応することができ、大きな相対変位の際にも止水性が損なわれることはない。
【図面の簡単な説明】
【図１】本発明の可撓ボックスカルバートの１例を示し（ａ）は立面図、（ｂ）は側面図、（ｃ）は平面図である。
【図２】単位ボックスカルバートの接合端部の例を示す軸方向断面図である。
【図３】単位ボックスカルバートのボルト連結の例を示す軸方向断面図である。
【符号の説明】
１……可撓ボックスカルバート、２ａ，２ｂ……単位ボックスカルバート、３……カラー、４……連結ボルト、５……接合作業用切欠き、６……固定用鋼材、７……ボルト、８……埋設ナット、９……止水弾性体、１０……凹溝、１１……ボルト挿通孔、１２……弾性ワッシャー、１３……ナット。
【図１】
0003574515.tif 000002
【図２】
0003574515.tif 000003
【図３】
0003574515.tif 000004